【手続補正書】
【提出日】平成18年12月5日(2006.12.5)
【手続補正１】
【補正対象書類名】明細書
【補正対象項目名】発明の名称
【補正方法】変更
【補正の内容】
【発明の名称】印刷システム、情報処理装置、印刷方法およびプログラム
【手続補正２】
【補正対象書類名】明細書
【補正対象項目名】特許請求の範囲
【補正方法】変更
【補正の内容】
【特許請求の範囲】
【請求項１】  印刷ジョブを投入して保管しておく複数のボックスを有する印刷装置と、該印刷ジョブを出力する情報処理装置とを備える印刷システムにおいて、
前記情報処理装置は、
前記印刷ジョブの投入先となるボックスを指定するためのボックス指定画面を表示するボックス指定画面表示手段と、
前記ボックス指定画面表示手段によりボックス指定画面に表示されるボックスの中から、ユーザのボックス指定操作に従って、前記印刷ジョブの投入先となるボックスを指定する指定手段と、
前記ボックス指定画面表示手段によりボックス指定画面に表示すべきボックスを、前記印刷装置が有する複数のボックスから選択し、該選択されたボックスに関するボックス情報を登録するボックス登録手段とを有し、
前記ボックス指定画面表示手段は、前記ボックス登録手段により登録されたボックスに関するボックス情報のみの一覧を、前記ボックス指定画面上に表示することが可能であることを特徴とする印刷システム。
【請求項２】  印刷ジョブを投入して保管しておく複数のボックスを有する印刷装置と、該保管された印刷ジョブの出力を指示する情報処理装置とを備える印刷システムにおいて、
前記情報処理装置は、
前記複数のボックスに保管される複数の印刷ジョブの中から印刷処理すべき印刷ジョブを指定するための印刷ジョブ指定画面を表示する印刷ジョブ指定画面表示手段と、
前記印刷ジョブ指定画面表示手段により印刷ジョブ指定画面に表示される複数の印刷ジョブの中から、ユーザの印刷ジョブ指定操作に従って、印刷処理すべき印刷ジョブを指定する印刷ジョブ指定手段と、
前記印刷ジョブ指定画面表示手段により印刷ジョブ定画面に表示すべきボックスを、前記印刷装置が有する複数のボックスから選択し、該選択されたボックスに関するボックス情報を登録するボックス登録手段とを有し、
前記印刷ジョブ指定画面表示手段は、前記ボックス登録手段により登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とする印刷システム。
【請求項３】  印刷装置に設けられている印刷ジョブを投入して保管しておく複数のボックスにそれぞれ印刷ジョブを投入する情報処理装置において、
前記印刷ジョブの投入先となるボックスを指定するためのボックス指定画面を表示するボックス指定画面表示手段と、
前記ボックス指定画面表示手段によりボックス指定画面に表示されるボックスの中から、ユーザのボックス指定操作に従って、前記印刷ジョブの投入先となるボックスを指定する指定手段と、
前記ボックス指定画面表示手段によりボックス指定画面に表示すべきボックスを、前記印刷装置が有する複数のボックスから選択し、該選択されたボックスに関するボックス情報を登録するボックス登録手段とを有し、
前記ボックス指定画面表示手段は、前記ボックス登録手段により登録されたボックスに関するボックス情報のみの一覧を、前記ボックス指定画面上に表示することが可能であることを特徴とする情報処理装置。
【請求項４】  前記ボックス指定画面表示手段は、ユーザの選択操作に応じて、前記印刷装置に設けられたすべてのボックスに関するボックス情報の一覧と、前記印刷ジョブの投入先として使用されたボックスに関するボックス情報のみの一覧と、前記ボックス登録手段により登録されたボックスに関するボックス情報のみの一覧とを選択的に切り換えて前記ボックス指定画面を表示することを特徴とする請求項３に記載の情報処理装置。
【請求項５】  前記指定手段により指定されたボックスに関するボックス情報の少なくとも一部を、該指定されたボックスに投入される印刷ジョブに付加する付加手段と、
前記ボックスに関するボックス情報の少なくとも一部が付加された印刷ジョブを前記印刷装置に送信する送信手段とを更に有することを特徴とする請求項３または４に記載の情報処理装置。
【請求項６】  前記ボックス指定画面表示手段は、前記印刷装置に設けられているすべてのボックスを表示することが指示されている場合に、前記ボックス指定画面上で、前記ボックス登録手段により登録されたボックスに関するボックス情報を他のボックス情報と識別可能に表示することを特徴とする請求項３乃至５のいずれか１項に記載の情報処理装置。
【請求項７】  前記ボックスを指定した印刷ジョブを前記印刷装置に送信した場合に、該印刷ジョブで使用されたボックスのボックス情報を記憶する使用ボックス記憶手段を更に有し、
前記ボックス指定画面表示手段は、前記印刷装置に設けられている複数のボックスのうち、使用したことのあるボックスを表示することが指示されている場合に、前記使用ボックス記憶手段により記憶されているボックス情報を、前記ボックス指定画面に表示することを特徴とする請求項３乃至６のいずれか１項に記載の情報処理装置。
【請求項８】  印刷装置に設けられている複数のボックスに投入されて管理されている複数の印刷ジョブの中から印刷処理すべき印刷ジョブを指定する情報処理装置において、
前記複数のボックスに保管される複数の印刷ジョブの中から印刷処理すべき印刷ジョブを指定するための印刷ジョブ指定画面を表示する印刷ジョブ指定画面表示手段と、
前記印刷ジョブ指定画面表示手段により印刷ジョブ指定画面に表示される複数の印刷ジョブの中から、ユーザの印刷ジョブ指定操作に従って、印刷処理すべき印刷ジョブを指定する印刷ジョブ指定手段と、
前記印刷ジョブ指定画面表示手段により印刷ジョブ定画面に表示すべきボックスを、前記印刷装置が有する複数のボックスから選択し、該選択ボックスに関するボックス情報を登録するボックス登録手段とを有し、
前記印刷ジョブ指定画面表示手段は、前記ボックス登録手段により登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とする情報処理装置。
【請求項９】  前記印刷ジョブ指定画面表示手段は、ユーザの選択操作に応じて、前記印刷装置に設けられたすべてのボックスにそれぞれ投入されている印刷ジョブに関する印刷ジョブの一覧と、前記印刷ジョブの投入先として使用されたボックスに投入されている印刷ジョブに関する印刷ジョブ情報のみの一覧と、前記ボックス登録手段により登録されているボックスに投入されている印刷ジョブに関する印刷ジョブのみの一覧とを選択的に切り換えて前記印刷ジョブ指定画面上に表示することを特徴とする請求項８に記載の情報処理装置。
【請求項１０】  前記印刷ジョブ指定手段により指定された印刷ジョブに関する印刷ジョブ情報を参照して該指定された印刷ジョブおよびそれが投入されているボックスを特定可能な印刷指示情報を作成する印刷情報印刷指示情報作成手段と、
前記作成された印刷指示情報を前記印刷装置に送信する送信手段とを更に有することを特徴とする請求項８または９に記載の情報処理装置。
【請求項１１】  前記印刷ジョブ指定画面表示手段は、前記印刷装置に設けられているすべてのボックスを表示することが指示されている場合に、前記印刷ジョブ指定画面上で、前記ボックス登録手段により登録されたボックスのボックス情報を他のボックス情報と識別可能に表示することを特徴とする請求項８乃至１０のいずれか１項に記載の情報処理装置。
【請求項１２】  印刷装置に設けられている印刷ジョブを投入して保管しておく複数のボックスにそれぞれ印刷ジョブを投入する情報処理装置における印刷方法において、
前記印刷ジョブの投入先となるボックスを指定するためのボックス指定画面を表示手段に表示するボックス指定画面表示工程と、
前記ボックス指定画面表示工程で前記ボックス指定画面に表示されるボックスの中から、ユーザのボックス指定操作に従って、前記印刷ジョブの投入先となるボックスを指定する指定工程と、
前記ボックス指定画面表示工程で前記ボックス指定画面に表示すべきボックスを、前記印刷装置が有する複数のボックスから選択し、該選択されたボックスに関するボックス情報を記憶手段に登録するボックス登録工程とを有し、
前記ボックス指定画面表示工程では、前記ボックス登録工程で前記記憶手段に登録されたボックスに関するボックス情報のみの一覧を、前記ボックス指定画面上に表示することが可能であることを特徴とする印刷方法。
【請求項１３】  印刷装置に設けられている複数のボックスに投入されて管理されている複数の印刷ジョブの中から印刷処理すべき印刷ジョブを指定する情報処理装置における印刷方法において、
前記複数のボックスに保管される複数の印刷ジョブの中から印刷処理すべき印刷ジョブを指定するための印刷ジョブ指定画面を表示手段に表示する印刷ジョブ指定画面表示工程と、
前記ボックス指定画面表示工程で前記印刷ジョブ指定画面に表示される複数の印刷ジョブの中から、ユーザの印刷ジョブ指定操作に従って、印刷処理すべき印刷ジョブを指定する印刷ジョブ指定工程と、
前記ボックス指定画面表示工程で前記印刷ジョブ定画面に表示すべきボックスを、前記印刷装置が有する複数のボックスから選択し、該選択ボックスに関するボックス情報を記憶手段に登録するボックス登録工程とを有し、
前記印刷ジョブ指定画面表示工程では、前記ボックス登録工程で前記記憶手段に登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とする印刷方法。
【請求項１４】  印刷装置に設けられている印刷ジョブを投入して保管しておく複数のボックスにそれぞれ印刷ジョブを投入する情報処理装置により実行可能なプログラムにおいて、
前記印刷ジョブの投入先となるボックスを指定するためのボックス指定画面を表示手段に表示するボックス指定画面表示モジュールと、
前記ボックス指定画面表示モジュールによりボックス指定画面に表示されるボックスの中から、ユーザのボックス指定操作に従って、前記印刷ジョブの投入先となるボックスを指定する指定モジュールと、
前記ボックス指定画面表示モジュールによりボックス指定画面に表示すべきボックスを、前記印刷装置が有する複数のボックスから選択し、該選択されたボックスに関するボックス情報を記憶手段に登録するボックス登録モジュールとを有し、
前記ボックス指定画面表示モジュールは、前記ボックス登録モジュールにより前記記憶手段に登録されたボックスに関するボックス情報のみの一覧を、前記ボックス指定画面上に表示することが可能であることを特徴とするプログラム。
【請求項１５】  前記ボックス指定画面表示モジュールは、ユーザの選択操作に応じて、前記印刷装置に設けられたすべてのボックスに関するボックス情報の一覧と、前記印刷ジョブの投入先として使用されたボックスに関するボックス情報のみの一覧と、前記記憶手段に登録されたボックスに関するボックス情報のみの一覧とを選択的に切り換えて前記ボックス指定画面を表示することを特徴とする請求項１４に記載のプログラム。
【請求項１６】  前記指定モジュールにより指定されたボックスに関するボックス情報の少なくとも一部を、該指定されたボックスに投入される印刷ジョブに付加する付加モジュールと、
前記ボックスに関するボックス情報の少なくとも一部が付加された印刷ジョブを前記印刷装置に送信する送信モジュールとを更に有することを特徴とする請求項１４または１５に記載のプログラム。
【請求項１７】  前記ボックス指定画面表示モジュールは、前記印刷装置に設けられているすべてのボックスを表示することが指示されている場合に、前記ボックス指定画面上で、前記記憶手段に登録されたボックスに関するボックス情報を他のボックス情報と識別可能に表示することを特徴とする請求項１４乃至１６いずれか１項に記載のプログラム。
【請求項１８】  前記ボックスを指定した印刷ジョブを前記印刷装置に送信した場合に、該印刷ジョブで使用されたボックスのボックス情報を使用ボックス記憶手段に記憶させる使用ボックス記憶モジュールを更に有し、
前記ボックス指定画面表示モジュールは、前記印刷装置に設けられている複数のボックスのうち、使用したことのあるボックスを表示することが指示されている場合に、前記使用ボックス記憶手段により記憶されているボックス情報を、前記ボックス指定画面に表示することを特徴とする請求項１４乃至１７のいずれか１項に記載のプログラム。
【請求項１９】  印刷装置に設けられている複数のボックスに投入されて管理されている複数の印刷ジョブの中から印刷処理すべき印刷ジョブを指定する情報処理装置により実行可能なプログラムにおいて、
前記複数のボックスに保管される複数の印刷ジョブの中から印刷処理すべき印刷ジョブを指定するための印刷ジョブ指定画面を表示手段に表示する印刷ジョブ指定画面表示モジュールと、
前記印刷ジョブ指定画面表示モジュールにより前記印刷ジョブ指定画面に表示される複数の印刷ジョブの中から、ユーザの印刷ジョブ指定操作に従って、印刷処理すべき印刷ジョブを指定する印刷ジョブ指定モジュールと、
前記印刷ジョブ指定画面表示モジュールにより印刷ジョブ定画面に表示すべきボックスを、前記印刷装置が有する複数のボックスから選択し、該選択ボックスに関するボックス情報を記憶手段に登録するボックス登録モジュールとを有し、
前記印刷ジョブ指定画面表示モジュールは、前記ボックス登録モジュールにより前記記憶手段に登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とするプログラム。
【請求項２０】  前記印刷ジョブ指定画面表示モジュールは、ユーザの選択操作に応じて、前記印刷装置に設けられたすべてのボックスにそれぞれ投入されている印刷ジョブに関する印刷ジョブの一覧と、前記印刷ジョブの投入先として使用されたボックスに投入されている印刷ジョブに関する印刷ジョブ情報のみの一覧と、前記ボックス登録モジュールにより前記記憶手段に登録されているボックスに投入されている印刷ジョブに関する印刷ジョブのみの一覧とを選択的に切り換えて前記印刷ジョブ指定画面上に表示することを特徴とする請求項１９に記載のプログラム。
【請求項２１】  前記印刷ジョブ指定モジュールにより指定された印刷ジョブに関する印刷ジョブ情報を参照して該指定された印刷ジョブおよびそれが投入されているボックスを特定可能な印刷指示情報を作成する印刷情報印刷指示情報作成モジュールと、
前記作成された印刷指示情報を前記印刷装置に送信する送信モジュールとを更に有することを特徴とする請求項１９または２０に記載のプログラム。
【請求項２２】  前記印刷ジョブ指定画面表示モジュールは、前記印刷装置に設けられているすべてのボックスを表示することが指示されている場合に、前記印刷ジョブ指定画面上で、前記ボックス登録手段により前記記憶手段に登録されたボックスのボックス情報を他のボックス情報と識別可能に表示することを特徴とする請求項１９乃至２１のいずれか１項に記載のプログラム。
【手続補正３】
【補正対象書類名】明細書
【補正対象項目名】０００１
【補正方法】変更
【補正の内容】
【０００１】
【発明の属する技術分野】
本発明は、印刷ジョブが投入される複数のボックスを有する印刷装置および情報処理装置からなる印刷システム、それに用いられる情報処理装置、印刷方法およびプログラムに関する。
【手続補正４】
【補正対象書類名】明細書
【補正対象項目名】０００８
【補正方法】変更
【補正の内容】
【０００８】
本発明の目的は、印刷装置のボックスを利用する際の検索性、操作性を向上させることができる印刷システム、情報処理装置、印刷方法およびプログラムを提供することにある。
【手続補正５】
【補正対象書類名】明細書
【補正対象項目名】０００９
【補正方法】変更
【補正の内容】
【０００９】
【課題を解決するための手段】
本発明は、印刷ジョブを投入して保管しておく複数のボックスを有する印刷装置と、該印刷ジョブを出力する情報処理装置とを備える印刷システムにおいて、前記情報処理装置は、前記印刷ジョブの投入先となるボックスを指定するためのボックス指定画面を表示するボックス指定画面表示手段と、前記ボックス指定画面表示手段によりボックス指定画面に表示されるボックスの中から、ユーザのボックス指定操作に従って、前記印刷ジョブの投入先となるボックスを指定する指定手段と、前記ボックス指定画面表示手段によりボックス指定画面に表示すべきボックスを、前記印刷装置が有する複数のボックスから選択し、該選択されたボックスに関するボックス情報を登録するボックス登録手段とを有し、前記ボックス指定画面表示手段は、前記ボックス登録手段により登録されたボックスに関するボックス情報のみの一覧を、前記ボックス指定画面上に表示することが可能であることを特徴とする。
【手続補正６】
【補正対象書類名】明細書
【補正対象項目名】００１０
【補正方法】変更
【補正の内容】
【００１０】
また、本発明は、印刷ジョブを投入して保管しておく複数のボックスを有する印刷装置と、該保管された印刷ジョブの出力を指示する情報処理装置とを備える印刷システムにおいて、前記情報処理装置は、前記複数のボックスに保管される複数の印刷ジョブの中から印刷処理すべき印刷ジョブを指定するための印刷ジョブ指定画面を表示する印刷ジョブ指定画面表示手段と、前記印刷ジョブ指定画面表示手段により印刷ジョブ指定画面に表示される複数の印刷ジョブの中から、ユーザの印刷ジョブ指定操作に従って、印刷処理すべき印刷ジョブを指定する印刷ジョブ指定手段と、前記印刷ジョブ指定画面表示手段により印刷ジョブ定画面に表示すべきボックスを、前記印刷装置が有する複数のボックスから選択し、該選択されたボックスに関するボックス情報を登録するボックス登録手段とを有し、前記印刷ジョブ指定画面表示手段は、前記ボックス登録手段により登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とする。
【手続補正７】
【補正対象書類名】明細書
【補正対象項目名】００１１
【補正方法】変更
【補正の内容】
【００１１】
また、本発明は、印刷装置に設けられている印刷ジョブを投入して保管しておく複数のボックスにそれぞれ印刷ジョブを投入する情報処理装置において、前記印刷ジョブの投入先となるボックスを指定するためのボックス指定画面を表示するボックス指定画面表示手段と、前記ボックス指定画面表示手段によりボックス指定画面に表示されるボックスの中から、ユーザのボックス指定操作に従って、前記印刷ジョブの投入先となるボックスを指定する指定手段と、前記ボックス指定画面表示手段によりボックス指定画面に表示すべきボックスを、前記印刷装置が有する複数のボックスから選択し、該選択されたボックスに関するボックス情報を登録するボックス登録手段とを有し、前記ボックス指定画面表示手段は、前記ボックス登録手段により登録されたボックスに関するボックス情報のみの一覧を、前記ボックス指定画面上に表示することが可能であることを特徴とする。
【手続補正８】
【補正対象書類名】明細書
【補正対象項目名】００１２
【補正方法】変更
【補正の内容】
【００１２】
また、本発明は、印刷装置に設けられている複数のボックスに投入されて管理されている複数の印刷ジョブの中から印刷処理すべき印刷ジョブを指定する情報処理装置において、前記複数のボックスに保管される複数の印刷ジョブの中から印刷処理すべき印刷ジョブを指定するための印刷ジョブ指定画面を表示する印刷ジョブ指定画面表示手段と、前記印刷ジョブ指定画面表示手段により印刷ジョブ指定画面に表示される複数の印刷ジョブの中から、ユーザの印刷ジョブ指定操作に従って、印刷処理すべき印刷ジョブを指定する印刷ジョブ指定手段と、前記印刷ジョブ指定画面表示手段により印刷ジョブ定画面に表示すべきボックスを、前記印刷装置が有する複数のボックスから選択し、該選択ボックスに関するボックス情報を登録するボックス登録手段とを有し、前記印刷ジョブ指定画面表示手段は、前記ボックス登録手段により登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とする。
【手続補正９】
【補正対象書類名】明細書
【補正対象項目名】００１３
【補正方法】変更
【補正の内容】
【００１３】
また、本発明は、印刷装置に設けられている印刷ジョブを投入して保管しておく複数のボックスにそれぞれ印刷ジョブを投入する情報処理装置における印刷方法において、前記印刷ジョブの投入先となるボックスを指定するためのボックス指定画面を表示手段に表示するボックス指定画面表示工程と、前記ボックス指定画面表示工程で前記ボックス指定画面に表示されるボックスの中から、ユーザのボックス指定操作に従って、前記印刷ジョブの投入先となるボックスを指定する指定工程と、前記ボックス指定画面表示工程で前記ボックス指定画面に表示すべきボックスを、前記印刷装置が有する複数のボックスから選択し、該選択されたボックスに関するボックス情報を記憶手段に登録するボックス登録工程とを有し、前記ボックス指定画面表示工程では、前記ボックス登録工程で前記記憶手段に登録されたボックスに関するボックス情報のみの一覧を、前記ボックス指定画面上に表示することが可能であることを特徴とする。
【手続補正１０】
【補正対象書類名】明細書
【補正対象項目名】００１４
【補正方法】変更
【補正の内容】
【００１４】
また、本発明は、印刷装置に設けられている複数のボックスに投入されて管理されている複数の印刷ジョブの中から印刷処理すべき印刷ジョブを指定する情報処理装置における印刷方法において、前記複数のボックスに保管される複数の印刷ジョブの中から印刷処理すべき印刷ジョブを指定するための印刷ジョブ指定画面を表示手段に表示する印刷ジョブ指定画面表示工程と、前記ボックス指定画面表示工程で前記印刷ジョブ指定画面に表示される複数の印刷ジョブの中から、ユーザの印刷ジョブ指定操作に従って、印刷処理すべき印刷ジョブを指定する印刷ジョブ指定工程と、前記ボックス指定画面表示工程で前記印刷ジョブ定画面に表示すべきボックスを、前記印刷装置が有する複数のボックスから選択し、該選択ボックスに関するボックス情報を記憶手段に登録するボックス登録工程とを有し、前記印刷ジョブ指定画面表示工程では、前記ボックス登録工程で前記記憶手段に登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とする。
【手続補正１１】
【補正対象書類名】明細書
【補正対象項目名】００１５
【補正方法】変更
【補正の内容】
【００１５】
また、本発明は、印刷装置に設けられている印刷ジョブを投入して保管しておく複数のボックスにそれぞれ印刷ジョブを投入する情報処理装置により実行可能なプログラムにおいて、前記印刷ジョブの投入先となるボックスを指定するためのボックス指定画面を表示手段に表示するボックス指定画面表示モジュールと、前記ボックス指定画面表示モジュールによりボックス指定画面に表示されるボックスの中から、ユーザのボックス指定操作に従って、前記印刷ジョブの投入先となるボックスを指定する指定モジュールと、前記ボックス指定画面表示モジュールによりボックス指定画面に表示すべきボックスを、前記印刷装置が有する複数のボックスから選択し、該選択されたボックスに関するボックス情報を記憶手段に登録するボックス登録モジュールとを有し、前記ボックス指定画面表示モジュールは、前記ボックス登録モジュールにより前記記憶手段に登録されたボックスに関するボックス情報のみの一覧を、前記ボックス指定画面上に表示することが可能であることを特徴とする。
【手続補正１２】
【補正対象書類名】明細書
【補正対象項目名】００１６
【補正方法】変更
【補正の内容】
【００１６】
また、本発明は、印刷装置に設けられている複数のボックスに投入されて管理されている複数の印刷ジョブの中から印刷処理すべき印刷ジョブを指定する情報処理装置により実行可能なプログラムにおいて、前記複数のボックスに保管される複数の印刷ジョブの中から印刷処理すべき印刷ジョブを指定するための印刷ジョブ指定画面を表示手段に表示する印刷ジョブ指定画面表示モジュールと、前記印刷ジョブ指定画面表示モジュールにより前記印刷ジョブ指定画面に表示される複数の印刷ジョブの中から、ユーザの印刷ジョブ指定操作に従って、印刷処理すべき印刷ジョブを指定する印刷ジョブ指定モジュールと、前記印刷ジョブ指定画面表示モジュールにより印刷ジョブ定画面に表示すべきボックスを、前記印刷装置が有する複数のボックスから選択し、該選択ボックスに関するボックス情報を記憶手段に登録するボックス登録モジュールとを有し、前記印刷ジョブ指定画面表示モジュールは、前記ボックス登録モジュールにより前記記憶手段に登録されているボックス情報に基づくボックスのみの一覧を表示し、かつ、当該表示された一覧に含まれるボックスに保管されている印刷ジョブ情報の一覧を、前記印刷ジョブ指定画面上に表示することが可能であることを特徴とする。
【手続補正１３】
【補正対象書類名】明細書
【補正対象項目名】００８４
【補正方法】変更
【補正の内容】
【００８４】
【発明の効果】
以上説明したように、本発明によれば、印刷ジョブの投入先となるボックスを指定するためのボックス指定画面に表示すべきボックスを、ユーザの登録指定操作に応じて予め登録しておき、表示する際には予め登録されているボックスに関するボックス情報のみの一覧をボックス指定画面上に表示することが可能となり、印刷装置のボックスを利用する際の検索性、操作性を向上させることができる。
【手続補正１４】
【補正対象書類名】明細書
【補正対象項目名】００８５
【補正方法】変更
【補正の内容】
【００８５】
また、本発明によれば、印刷処理すべき印刷ジョブを指定するための印刷ジョブ指定画面に表示すべきボックスを、ユーザに登録指示操作に応じて予め登録しておき、表示する際には予め登録されているボックスに保管されている印刷ジョブの一覧を印刷ジョブ指定画面に表示することが可能となり、印刷装置のボックスを利用する際の検索性、操作性を向上させることができる。
【手続補正１５】
【補正対象書類名】明細書
【補正対象項目名】００８６
【補正方法】削除
【補正の内容】